(57)【要約】【課題】昇降時に被覆材のコーナー被覆部に生じる引き伸ばし応力を緩和し、被覆材のコーナー被覆部の破損を防止した階段被覆構造を提供する。【解決手段】階段１の踏み面１ａからその上側の蹴上げ面１ｂにかけて合成樹脂又はゴム製の被覆材２を貼着剤４で貼着した階段被覆構造であって、踏み面１ａの後端縁とその上側の蹴上げ面１ｂの下端縁とで形成されるコーナー部１ｃ（踏み面後端のコーナー部１ｃ）と、このコーナー部１ｃを覆う被覆材２のコーナー被覆部２ｃとの隙間に、充填材５を充填した階段被覆構造とする。階段昇降時に被覆材２のコーナー被覆部２ｃに生じる引き伸ばし応力を充填材５で緩和、分散して、コーナー被覆部２ｃの破損を防止する。【選択図】図１
2012031595.tif 000002
【特許請求の範囲】
【請求項１】
階段の踏み面からその上側の蹴上げ面にかけて、合成樹脂又はゴム製の被覆材を貼着剤で貼着した階段被覆構造であって、踏み面の後端縁とその上側の蹴上げ面の下端縁とで形成されるコーナー部と、このコーナー部を覆う被覆材のコーナー被覆部との隙間に、充填材を充填したことを特徴とする階段被覆構造。
【請求項２】
階段の踏み面と、踏み面を覆う被覆材の踏み面被覆部との間に、クッション性を有するシートを介在させ、踏み面とシートと被覆材の踏み面被覆部を貼着剤で貼着したことを特徴とする、請求項１に記載の階段被覆構造。
【請求項３】
充填材の５０％モジュラスが０．１０〜５．００Ｎ／ｍｍ２であることを特徴とする、請求項１又は請求項２に記載の階段被覆構造。
【発明の詳細な説明】
【技術分野】
【０００１】
本発明は、階段の踏み面からその上側の蹴上げ面にかけて合成樹脂又はゴム製の被覆材を貼着剤で貼着した階段被覆構造に関し、更に詳しくは、踏み面の後端縁とその上側の蹴上げ面の下端縁とで形成されるコーナー部を被覆する被覆材のコーナー被覆部が、階段昇降時に生じる引き伸ばし応力によって破損する虞れがないように改良した階段被覆構造に関する。
【背景技術】
【０００２】
従来の階段被覆構造として、階段の踏み面からその上側の蹴上げ面にかけて被覆材を貼着剤で貼着した構造が知られている（例えば特許文献１）。そして、この被覆材の前端縁を下方に折り曲げ、階段の段鼻部（踏み面の前端縁とその下側の蹴上げ面の上端縁とで形成されるコーナー部）を被覆した構造も知られている。
【０００３】
これらの階段被覆構造においては、施工性、軽量化、防錆、衝撃緩和、防音等の観点から、柔軟で折り曲げ可能な合成樹脂製の被覆材を多用しており、後者の階段被覆構造の場合は、前端から下方に折れ曲がる段鼻被覆部を形成した合成樹脂製の被覆材を用いて、その段鼻被覆部で階段の段鼻部を被覆すると共に、施工現場で階段の踏み面とその上側の蹴上げ面に沿わせて被覆材をＬ形に折り曲げ、階段の踏み面からその上側の蹴上げ面にかけて被覆材を貼着するのが一般的である。そして、被覆材の蹴上げ被覆部の上端縁を除いた各端縁は、被覆材の捲くれや被覆材裏側への水の浸入を防止するために、コーキング材で封止するのが一般的である。
【先行技術文献】
【特許文献】
【０００４】
【特許文献１】特開平１１−３１５６２４号公報
【発明の概要】
【発明が解決しようとする課題】
【０００５】
しかしながら、従来のように施工現場で被覆材を階段の踏み面とその上側の蹴上げ面に沿わせてＬ形に折り曲げて貼着すると、図５に示すように、階段１の踏み面１ａの後端縁とその上側の蹴上げ面１ｂの下端縁とで形成されるコーナー部１ｃ（以下、踏み面後端のコーナー部という）と、この踏み面後端のコーナー部１ｃを覆う被覆材２のコーナー被覆部２ｃとの間に隙間３が生じるようになる。これは、被覆材２のコーナー被覆部２ｃとなる箇所を施工現場でＬ形に折り曲げて貼着する際に、丸みをもたないように鋭く折り曲げた状態で貼着することが難しく、コーナー被覆部２ｃがどうしても円弧状に湾曲した状態となって踏み面後端のコーナー部１ｃから浮いてしまうためである。
【０００６】
このように階段１の踏み面後端のコーナー部１ｃと被覆材２のコーナー被覆部２ｃとの間に隙間３が存在すると、階段を昇降する歩行者が被覆材２の踏み面被覆部２ａの後端部（コーナー被覆部２ｃの近傍箇所）を踏む度に、踏み面被覆部２ａの後端部が沈み込むように歪み、図５に矢印で示すごとく、コーナー被覆部２ｃに引き伸ばし方向の力が繰り返し負荷されるため、引き伸ばし応力が被覆材２のコーナー被覆部２ｃに集中して亀裂や破れが生じたり、被覆材２の端縁に施されたコーキング材が剥離したり、亀裂が生じて損傷する虞れがあった。
【０００７】
特に、階段昇降時の防音性や衝撃緩和性を向上させることを目的として、被覆材２の踏み面被覆部２ａと階段１の踏み面１ａとの間に合成樹脂発泡シートなどのクッション性を有するシート（不図示）を介在させる場合は、被覆材２の踏み面被覆部２ａの後端部を歩行者が踏んだときの沈み込みが大きくなり、被覆材２のコーナー被覆部２ｃに大きい引き伸ばし応力が生じるため、上記の虞れが顕著になる。
【０００８】
本発明は上記事情の下になされたもので、その解決しようとする課題は、階段昇降時に被覆材のコーナー被覆部に生じる引き伸ばし応力を緩和し、被覆材のコーナー被覆部が破損しないように改良した階段被覆構造を提供することにある。
【課題を解決するための手段】
【０００９】
上記課題を解決するため、本発明に係る階段被覆構造は、階段の踏み面からその上側の蹴上げ面にかけて合成樹脂又はゴム製の被覆材を貼着剤で貼着した階段被覆構造であって、踏み面の後端縁とその上側の蹴上げ面の下端縁とで形成されるコーナー部（踏み面後端のコーナー部）と、このコーナー部を覆う被覆材のコーナー被覆部との隙間に、充填材を充填したことを特徴とするものである。
【００１０】
本発明の階段被覆構造においては、階段の踏み面と、踏み面を覆う被覆材の踏み面被覆部との間に、クッション性を有するシートを介在させ、踏み面とシートと被覆材の踏み面被覆部を貼着剤で貼着することが好ましい。そして、上記充填材の５０％モジュラスが０．１０〜５．００Ｎ／ｍｍ２であることが好ましい。
【発明の効果】
【００１１】
本発明の階段被覆構造のように、階段の踏み面後端のコーナー部と、このコーナー部を覆う被覆材のコーナー被覆部との隙間に、充填材が充填されていると、階段を昇降する歩行者が被覆材の踏み面被覆部の後端部（コーナー被覆部の近傍箇所）を踏んだときに被覆材のコーナー被覆部に生じる引き伸ばし応力が充填材によって緩和されると共に、充填材を通じて引き伸ばし応力が被覆材の幅方向に分散されるため、被覆材のコーナー被覆部が裏側から充填材で補強されることと相俟って、被覆材のコーナー被覆部の破損や被覆材端縁のコーキング材の剥離が効果的に防止される。
【００１２】
また、本発明の階段被覆構造において、階段の踏み面と、踏み面を覆う被覆材の踏み面被覆部との間に、クッション性を有するシートを介在させ、踏み面とシートと被覆材の踏み面被覆部を貼着剤で貼着したものは、クッション性を有するシートによって、階段昇降時の防音性や衝撃緩和性が向上する。このようなクッション性を有するシートを介在させると、階段昇降時の被覆材の沈み込みが大きくなるため、従来の階段被覆構造では被覆材のコーナー被覆部に大きい引き伸ばし応力が集中して一層破損し易くなるが、本発明の階段被覆構造では、昇降時の被覆材の沈み込みが大きくなっても、前記充填材によって引き伸ばし応力が十分緩和、分散されるので、被覆材のコーナー被覆部の破損防止効果が顕著に発揮される。
【００１３】
特に、前記充填材の５０％モジュラスが０．１０〜５．００Ｎ／ｍｍ２であると、後述の試験結果によって裏付けられるように、被覆材のコーナー被覆部の破損防止効果が確実に発揮される。
【図面の簡単な説明】
【００１４】
【図１】本発明の一実施形態に係る階段被覆構造の部分断面図である。
【図２】図１の円Ａで囲んだ部分の拡大図である。
【図３】図１の円Ｂで囲んだ部分の拡大図である。
【図４】本発明の他の実施形態に係る階段被覆構造の部分断面図である。
【図５】従来の階段被覆構造の部分断面図である。
【発明を実施するための形態】
【００１５】
図１〜図３に示す階段被覆構造は、被覆材として、前端から下方に折れ曲がる段鼻被覆部２ｄを形成した合成樹脂製の被覆材２を使用し、その段鼻被覆部２ｄで階段１の段鼻部１ｄ（階段１の踏み面１ａの前端縁とその下側の蹴上げ面１ｂの上端縁とで形成される踏み面前端のコーナー部）を被覆すると共に、階段１の踏み面１ａとその上側の蹴上げ面１ｂに沿わせて被覆材２をＬ形に折り曲げ、階段１の踏み面１ａと踏み面後端のコーナー部１ｃとその上側の蹴上げ面１ｂを、被覆材２の踏み面被覆部２ａとコーナー被覆部２ｃと蹴上げ面被覆部２ｂとで被覆している。そして、被覆材２の踏み面被覆部２ａと蹴上げ面被覆部２ｂを、階段１の踏み面１ａとその上側の蹴上げ面１ｂに貼着剤４で貼着すると共に、踏み面後端のコーナー部１ｃと被覆材２のコーナー被覆部２ｃとの隙間に、充填材５を被覆材２の幅方向全長に亘って充填し、この充填材５を介して被覆材２のコーナー被覆部２ｃを踏み面後端のコーナー部１ｃに固着している。
【００１６】
また、被覆材２の段鼻被覆部２ｄの下縁部は、下側の蹴上げ面１ｂを覆う被覆材２の蹴上げ面被覆部２ｂの上端縁に重ねて両面テープ６で固定し、被覆材２の段鼻被覆部２ｄと階段１の段鼻部１ｄとの隙間には充填材５０を被覆材２の幅方向全長に亘って充填している。そして、被覆材２の段鼻被覆部２ｄの下端をコーキング材７で封止し、段鼻被覆部２ｄが捲れないようにしている。尚、図示はしていないが、被覆材２の幅方向両側端もコーキング材で封止し、被覆材２の両側端が捲れたり、被覆材２の裏面に水が浸入しないようにしている。
【００１７】
本発明の階段被覆構造に使用される被覆材２は、軟質塩化ビニル樹脂、オレフィン系樹脂などの熱可塑性合成樹脂製の被覆材、又はゴム製の被覆材であって、図３に示すように、段鼻被覆部２ｄが破損しないように段鼻被覆部２ｄをその下縁部を除いて厚肉化したものや、踏み面被覆部２ａの表面に防滑用の凸部（不図示）を多数形成したものが好ましく使用される。また、ガラス繊維や合成樹脂繊維からなる補強繊維層を被覆材の裏面や中間部に積層して被覆材の破損を防止したものや、衝撃緩和、防音、遮熱、軽量化等の目的で被覆材の裏面層を発泡させたものも好ましく使用される。
【００１８】
被覆材２の踏み面被覆部や蹴上げ被覆部を貼着する貼着剤４としては、一液の湿気反応型ウレタン系接着剤や変成シリコーン系接着剤、二液エポキシ系接着剤、アクリルエマルション系接着剤などが使用されるが、階段１の踏み面や蹴上げ面に強固に貼着するためには、反応後に硬度が高くなる一液ウレタン系接着剤を用いることが好ましい。貼着剤４の塗布は、櫛目コテを用いて櫛目模様（図示のように互いに平行な多数の貼着剤４の凸条からなる模様）が形成されるように塗布することが好ましく、このように塗布すると、下地の階段１からの湿気や、貼着剤４から放出される溶剤や反応ガスが、貼着剤４の凸条相互間の隙間を通って排出されるので、被覆材２の膨れを防止することが可能となり、また、貼着剤４の塗布量の均一化を図ることも可能となる。
【００１９】
階段１の踏み面後端のコーナー部１ｃと被覆材２のコーナー被覆部２ｃとの隙間に充填される充填材５としては、反応後に硬度が高くなるウレタン樹脂やエポキシ樹脂の充填材、或いは、柔軟な変成シリコーン樹脂やウレタン樹脂の充填材などが使用されるが、弾性を有する充填材が好ましく用いられる。その中でも、反応後の５０％モジュラスが０．１０〜５．００Ｎ／ｍｍ２の変成シリコーン樹脂やウレタン樹脂の充填材が特に好ましく使用される。５０％モジュラスが上記の範囲内にある充填材は、階段昇降時に被覆材２のコーナー被覆部２ｃに生じる引き伸ばし応力の緩和作用及び分散作用を十分発揮し、後述の試験結果に示すように、被覆材２のコーナー被覆部２ｃの破損をほぼ確実に防止できるからである。更に好ましい充填材は、後述の試験結果から判るように、５０％モジュラスが０．１０〜１．５０Ｎ／ｍｍ２の範囲内にあるものであり、その中でも極めて好ましい充填材は、破断強度が１．０〜３．５Ｎ／ｍｍ２の範囲内にあるものである。
【００２０】
充填材５は前述した貼着剤４を兼用することができ、５０％モジュラスや破断強度が上記範囲内にある一液ウレタン系接着剤、一液変成シリコーン系接着剤、二液エポキシ系接着剤などは、充填材５として好ましく使用される。ただし、前記したように、充填材５は、柔軟で、弾性を有するものが好ましいことから、貼着剤４よりも５０％モジュラスが小さいものが好適である。
【００２１】
尚、本発明において充填材５を充填する隙間とは、階段１の踏み面後端のコーナー部１ｃから被覆材２のコーナー被覆部２ａまでの間隔（最大間隔）が３ｍｍ以上、３０ｍｍ以下であるものをいう。
【００２２】
一方、階段１の段鼻部１ｄと被覆材２の段鼻被覆部２ｄとの隙間に充填される充填材５０は、被覆材２の段鼻被覆部２ｄを支持固定する必要があるため、硬化後に硬度が高くなるタイプの充填材、例えば、一液ウレタン系充填材（接着剤）などが好ましく使用される。そして、段鼻被覆部２ｄの下端や被覆材２の幅方向両側端を封止するコーキング材７としては、施工後も柔軟な変成シリコーン系コーキング材や、硬いエポキシ系コーキング材などが使用される。
【００２３】
この実施形態の階段被覆構造のように、階段１の踏み面後端のコーナー部１ｃと被覆材２のコーナー被覆部２ｃとの隙間に、５０％モジュラスが０．１０〜５．００Ｎ／ｍｍ２の弾性を有する充填材５を充填して、コーナー被覆部２ｃをコーナー部１ｃに固着してあると、階段を昇降する歩行者が被覆材２の踏み面被覆部２ａの後端部（コーナー被覆部２ｃの近傍箇所）を踏んだときにコーナー被覆部２ｃに生じる引き伸ばし応力が充填材５によって緩和されると共に、充填材５を通じて引き伸ばし応力が被覆材２の幅方向に分散されるため、被覆材２のコーナー被覆部２ｃが裏側から充填材５で補強されることと相俟って、後述の試験結果の如く、被覆材２のコーナー被覆部２ｃの破損を効果的に防止できるようになり、被覆材端縁のコーキング材の剥離も防止できるようになる。
【００２４】
そして、この実施形態の階段被覆構造のように、階段１の段鼻部１ｄと被覆材２の段鼻被覆部２ｄとの隙間に硬度が大きいタイプの充填材５０を充填して被覆材２の段鼻被覆部２ｄを支持固定すると共に、被覆材２の段鼻被覆部２ｄをその下縁部を除いて厚肉化してあると、段鼻被覆部２ｄの破損も効果的に防止できるようになる。
【００２５】
図４に示す階段被覆構造は、階段１の踏み面１ａと、被覆材２の踏み面被覆部２ａとの間にクッション性を有するシート８を介在させ、踏み面１ａとシート８と被覆材２の踏み面被覆部２ａを貼着剤４で貼着した点を除いて、図１〜図３に示す階段被覆構造と同様の構成としたものである。
【００２６】
クッション性を有するシート８としては、軟質塩化ビニル樹脂、オレフィン系樹脂、ウレタン樹脂などの合成樹脂を発泡させた発泡シートや、ガラス繊維、合成樹脂繊維からなる織布や不織布などが使用され、被覆材２よりもクッション性や柔軟性が高く、衝撃緩和性、防音性、遮熱（断熱）性の良好なものが好ましく使用される。このシート８は、被覆材８の裏面に貼着して被覆材８と一体化し、そのまま階段１の踏み面１ａに貼着してもよいが、施工性を勘案すれば、階段１の踏み面１ａにシート８を貼着剤４で貼着した後、その上に被覆材２の踏み面被覆部２ａを貼着剤４で貼着する方が好ましい。
【００２７】
尚、このシート８は、階段１の踏み面１ａと被覆材２の踏み面被覆部２ａとの間のみならず、階段１の蹴上げ面１ｂと被覆材２の蹴上げ面被覆部２ａとの間にも設けるようにしてもよいが、施工の手間やコストを勘案すれば、階段１の踏み面１ａと被覆材２の踏み面被覆部２ａとの間のみに設けることが好ましい。
【００２８】
図４に示す階段被覆構造は、階段１の踏み面１ａと被覆材２の踏み面被覆部２ａとの間に介在させたクッション性を有するシート８によって、階段昇降時の防音性や衝撃緩和性などを向上させることができる。このようなクッション性のシート８を介在させると、階段昇降時の被覆材２の沈み込みが大きくなるが、被覆材２の沈み込みが大きくなっても、階段１の踏み面後端のコーナー部１ｃと被覆材２のコーナー被覆部２ｃとの隙間に充填された充填材５によって、被覆材２のコーナー被覆部２ｃに生じる引き伸ばし応力が十分緩和、分散されるので、被覆材２のコーナー被覆部２ｃの破損防止効果が顕著に発揮されることになる。
【００２９】
次に、本発明に係る階段被覆構造の効果確認試験について説明する。
【００３０】
階段の踏み面とその上側の蹴上げ面に一液ウレタン系貼着剤を櫛目コテで塗布し、前端に段鼻被覆部を形成した軟質塩化ビニル製の被覆材２（肉厚２ｍｍ）の踏み面被覆部と蹴上げ被覆部を、階段の踏み面とその上側の蹴上げ面に貼着すると共に、階段の踏み面後端のコーナー部と被覆材のコーナー被覆部の隙間に、充填材として下記表１に示す１１種類の充填材（No.１〜No.１１）をそれぞれ充填し、被覆材の踏み面後端部（コーナー被覆部の近傍箇所）に１ｋＮの荷重（荷重負荷駒１０×１０ｃｍ）を１００００回繰り返して加え、被覆材のコーナー被覆部の表面状態を目視で観察した。尚、表１中に示した各充填材の特性値は、ＪＩＳ  Ａ  １４３９に準じて測定したものである。
また、比較のために、階段の踏み面後端のコーナー部と被覆材のコーナー被覆部との隙間に充填材を充填しないものについても、同様に荷重を加えて被覆材のコーナー被覆部の状態を目視で観察した。
これらの結果を下記表１に示す。
【００３１】
【表１】
2012031595.tif 000003
【００３２】
表１に示すにように、充填材を階段の踏み面後端のコーナー部と被覆材のコーナー被覆部との隙間に充填しない場合は、被覆材のコーナー被覆部が破断するという結果が得られた。
一方、５０％モジュラスが０．１Ｎ／ｍｍ２未満の充填材（No.１）や、５０％モジュラスが測定不能な充填材（No.１０）を充填した場合は、破断は見られないものの、被覆材のコーナー被覆部の表面には白化が見られ、破損防止効果が不十分であることが確認された。
これに対し、５０％モジュラスが０．１０〜５．００Ｎ／ｍｍ２の充填材（No.２〜No.９）を充填した場合は、被覆材のコーナー被覆部の表面が僅かに白化するか、極めて僅かに白化するか、異常なしか、のいずれかであり、充填材によるコーナー被覆部の破損防止効果が確認された。
その中でも破断強度が１．０〜３．５Ｎ／ｍｍ２の充填材（No.２〜No.８）を充填したものは、コーナー被覆部の表面に異常が全く見られず、優れた破損防止効果を発揮することが確認された。
【００３３】
以上の効果確認試験の結果から、５０％モジュラスが０．１０〜５．００Ｎ／ｍｍ２の充填材（No.２〜No.９）を充填すると、コーナー被覆部の破損防止効果が発揮され、その中でも破断強度が１．０〜３．５Ｎ／ｍｍ２の充填材（No.２〜No.８）を充填した場合は、破損防止効果が顕著に発揮されることが判る。
【符号の説明】
【００３４】
１    階段
１ａ  階段の踏み面
１ｂ  階段の蹴上げ面
１ｃ  階段の踏み面後端のコーナー部
２    被覆材
２ａ  被覆材の踏み面被覆部
２ｂ  被覆材の蹴上げ面被覆部
２ｃ  被覆材のコーナー被覆部
３    踏み面後端のコーナー部と被覆材のコーナー被覆部との隙間
４    貼着剤
５    充填材
５０  充填材
６    両面テープ
７    コーキング材
８    クッション性を有するシート
【図１】
2012031595.tif 000004
【図２】
2012031595.tif 000005
【図３】
2012031595.tif 000006
【図４】
2012031595.tif 000007
【図５】
2012031595.tif 000008